(57)【要約】【課題】  携帯電話機を手元に置くことなく使用可能とする無線通信システムを提供すること。【解決手段】  本発明にかかる無線通信システムは、無線通信機器１０３と、ヘッドセット１０１と、無線通信機器１０３及びヘッドセット１０１と無線通信可能な携帯電話機１０２を備え、無線通信機器１０３は、携帯電話機１０２から着信情報を受信する手段と、着信通知を表示する手段と、携帯電話機１０２に対して受話を実行させる受話要求信号を送信する手段とを有し、携帯電話機１０２は、着呼に応じて着信情報を無線通信機器１０３に送信する手段と、無線通信機器１０３から受話要求信号を受信する手段と、受話要求信号に応じて受話を実行する手段と、受話の実行に応じてヘッドセット１０１と音声通信を開始する手段を有し、ヘッドセット１０１は、携帯電話機１０２と音声通信を実行する手段を有するものである。【選択図】  図１
2006086805.tif 000002
【特許請求の範囲】
【請求項１】
無線通信機器と、ヘッドセットと、前記無線通信機器及び前記ヘッドセットと無線通信可能な携帯電話機を備えた無線通信システムであって、
前記無線通信機器は、
前記携帯電話機から着信情報を受信する手段と、
前記着信情報に応じた着信通知を表示する手段と、
オペレータの入力に応じて前記携帯電話機に対して受話を実行させる受話要求信号を送信する手段とを有し、
前記携帯電話機は、
着呼に応じて着信情報を前記無線通信機器に送信する手段と、
前記無線通信機器から前記受話要求信号を受信する手段と、
前記受話要求信号に応じて受話を実行する手段と、
前記受話の実行に応じて前記ヘッドセットと音声通信を開始する手段を有し、
前記ヘッドセットは、
前記携帯電話機と音声通信を実行する手段を有する無線通信システム。
【請求項２】
無線通信機器と、ヘッドセットと、前記無線通信機器及び前記ヘッドセットと無線通信可能な携帯電話機を備えた無線通信システムであって、
前記無線通信機器は、
前記携帯電話機から着信情報を受信する手段と、
前記着信情報に応じた着信通知を表示する手段とを有し、
前記ヘッドセットは、
オペレータの入力に応じて前記携帯電話機に対して受話を実行させる受話要求信号を送信する手段を有し、
前記携帯電話機は、
着呼に応じて着信情報を前記無線通信機器に送信する手段と、
前記ヘッドセットから前記受話要求信号を受信する手段と、
前記受話要求信号に応じて受話を実行する手段とを有する無線通信システム。
【請求項３】
前記着信情報は、前記携帯電話機の着呼の際に前記携帯電話機の有する表示手段に表示される表示情報と同一の表示情報であることを特徴とする請求項１又は２いずれかに記載の無線通信システム。
【請求項４】
前記着信情報は、前記携帯電話機の着呼の際に前記携帯電話機の有する表示手段に表示される画像情報であることを特徴とする請求項１乃至３いずれかに記載の無線通信システム。
【請求項５】
無線通信機器と、ヘッドセットと、前記無線通信機器及び前記ヘッドセットと無線通信可能な携帯電話機を備えた無線通信システムであって、
前記ヘッドセットは、
前記携帯電話機から着信情報を受信する手段と、
前記着信情報をオペレータに対して報知する手段を有し、
前記無線通信機器は、
オペレータの入力に応じて前記携帯電話機に対して受話を実行させる受話要求信号を送信する手段を有し、
前記携帯電話機は、
着呼に応じて着信情報を前記ヘッドセットに送信する手段と、
前記無線通信機器から前記受話要求信号を受信する手段と、
前記受話要求信号に応じて受話を実行する手段とを有する無線通信システム。
【請求項６】
前記着信情報は前記携帯電話機が着呼に応じて再生する着信音の音声信号であることを特徴とする請求項５に記載の無線通信システム。
【請求項７】
前記携帯電話機は、当該携帯電話機が有する表示手段に表示される情報の一部又は全部を前記無線通信機器に対して送信する手段を更に有し、
前記無線通信機器は、前記携帯電話機から当該情報の一部又は全部を受信する手段と、
当該情報の一部又は全部を、前記無線通信機器が有する表示手段の一部又は全部に表示させる手段とを更に有することを特徴とする請求項１乃至６いずれかに記載の無線通信システム。
【請求項８】
前記無線通信機器は当該無線通信機器が有する入力手段により入力された制御信号を前記携帯電話機に送信する手段を更に有し、
前記携帯電話機は前記無線通信機器から当該制御信号を受信する手段と、当該制御信号に従って前記携帯電話機を制御する手段とを更に有することを特徴とする請求項１乃至７いずれかに記載の無線通信システム。
【請求項９】
前記無線通信機器は映像及び／又は音声を再生するための手段を更に有し、
前記無線通信機器において映像及び／又は音声の再生中に、前記携帯電話機に着呼があった場合、前記携帯電話機は前記無線通信機器に対して映像及び／又は音声の再生を一時中断させる再生制御信号を送信する手段を有することを特徴とする請求項１乃至８いずれかに記載の無線通信システム。
【発明の詳細な説明】
【技術分野】
【０００１】
本発明は無線通信機器及び無線通信システムに関し、より詳細には携帯電話機、ヘッドセット及び無線通信機器等の無線通信可能な複数の機器を備えた無線通信システムに関する。
【背景技術】
【０００２】
近年無線ＬＡＮやブルートゥース（登録商標）等、様々な無線通信技術が利用されている。無線ＬＡＮは高速転送が可能であることから主にパーソナルコンピュータのデータ通信において使用されている。一方、ブルートゥースは低消費電力であることを特徴とするため、欧州の携帯電話機で標準搭載されるようになり普及が始まっている。その背景としては、車を運転する際の携帯電話機の使用を規制する法律が制定されたことがある。車を運転している最中に運転者が携帯電話機を使用する場合にはハンズフリーやヘッドセットなどが必要になったことが、ブルートゥースを携帯電話機へ搭載する動きに拍車をかけている。ここで、ヘッドセットとはマイクとヘッドフォンやイヤフォンが一体になった物であり、ハンズフリーとは電話機を手で持たなくともスピーカーやマイクを通して通話を可能とする物のことである。ヘッドセットやハンズフリーにはモノラル音声を出力する片耳タイプと、ステレオ音声を出力する両耳タイプとがある。
【０００３】
従来より、ＭＤプレイヤー等の携帯型の音楽プレイヤーのみならず、携帯電話機とも有線又は無線により接続可能なヘッドフォンが提案されている（例えば、特許文献１参照）。
【０００４】
特許文献１に開示されたヘッドフォンは、音声信号を音楽プレイヤー、携帯電話機のいずれから入力するかを選択する音声信号制御装置に接続されている。携帯電話機において着信が発生すると、音声信号制御装置はその着信を検出し、ヘッドフォンと携帯電話機が接続されるように制御する。
【０００５】
図７に従来の無線通信システムの１つの具体例を示す。当該無線通信システムはヘッドセット１０１、携帯電話機１０２、ＤＶＤプレイヤー１０３及び基地局１０４、公衆回線１０５を備えている。ヘッドセット１０１はＤＶＤプレイヤー１０３と無線で接続されており、ＤＶＤプレイヤー１０３で再生される音声信号をヘッドセット１０１のスピーカーで出力している。携帯電話機１０２は基地局１０４を介して公衆回線１０５に接続されることで他の携帯電話機や一般の固定電話と通話することができる。携帯電話機１０２は近距離無線通信機能を有し、ヘッドセット１０１と無線通信接続が可能である。携帯電話機１０２に着信が入ると携帯電話機１０２に着信があった旨の情報が無線通信によりヘッドセット１０１へ通知される。ヘッドセット１０１では、携帯電話機１０２への着信を検出すると、携帯電話機１０２から無線通信により入力される音声信号をスピーカーから出力するように切り換える。
【０００６】
このように有線通信・無線通信に関わらず、携帯電話機と他の音声信号発生手段の２系統の音声信号を入力する手段を備え、携帯電話機の着信の検出によって音声信号の出力を切り換える技術があった。
【特許文献１】特開平８−２３３６６号公報
【発明の開示】
【発明が解決しようとする課題】
【０００７】
ハンズフリーが上記のような携帯電話機の着信検出による音声入力の切換手段を有することによって、手を空けた状態で音楽プレイヤーと携帯電話機の両方の電子機器を同時に利用することが可能になる。しかし、このような構成においては、依然として音楽プレイヤーと携帯電話機のそれぞれに対する操作は、それぞれの機器に対して行なわなければならないので、オペレータが音楽プレイヤーと携帯電話機を持ち替えて操作することになり手間がかかる。また、例えば新幹線の中等の手元のスペースが限られている場合では、音楽プレイヤーと携帯電話機の双方の置き場所に困ってしまう等の問題があった。
【０００８】
本発明はこの様な問題を解決するためになされたものであり、携帯電話機を手元に置くことなく使用可能とする無線通信システムを提供することを目的とする。
【課題を解決するための手段】
【０００９】
本発明にかかる無線通信システムは、無線通信機器と、ヘッドセットと、前記無線通信機器及び前記ヘッドセットと無線通信可能な携帯電話機を備えた無線通信システムであって、前記無線通信機器は、前記携帯電話機から着信情報を受信する手段と、前記着信情報に応じた着信通知を表示する手段と、オペレータの入力に応じて前記携帯電話機に対して受話を実行させる受話要求信号を送信する手段とを有し、前記携帯電話機は、着呼に応じて着信情報を前記無線通信機器に送信する手段と、前記無線通信機器から前記受話要求信号を受信する手段と、前記受話要求信号に応じて受話を実行する手段と、前記受話の実行に応じて前記ヘッドセットと音声通信を開始する手段を有し、前記ヘッドセットは、前記携帯電話機と音声通信を実行する手段を有するものである。このような構成により、携帯電話機を手元に置くことなく着信を認識でき、更に受話を実行可能とする無線通信システムを提供することができる。
【００１０】
他方、本発明に係る他の無線通信システムは、無線通信機器と、ヘッドセットと、前記無線通信機器及び前記ヘッドセットと無線通信可能な携帯電話機を備えた無線通信システムであって、前記無線通信機器は、前記携帯電話機から着信情報を受信する手段と、前記着信情報に応じた着信通知を表示する手段とを有し、前記ヘッドセットは、オペレータの入力に応じて前記携帯電話機に対して受話を実行させる受話要求信号を送信する手段を有し、前記携帯電話機は、着呼に応じて着信情報を前記無線通信機器に送信する手段と、前記ヘッドセットから前記受話要求信号を受信する手段と、前記受話要求信号に応じて受話を実行する手段とを有するものである。この様な構成により、携帯電話機を手元に置くことなく着信を認識でき、更に受話を実行可能とする無線通信機器及び無線通信システムを提供することができる。
【００１１】
ここで、前記着信情報は前記携帯電話機の着呼の際に前記携帯電話機の有する表示手段に表示される表示情報と同一の表示情報であってもよい。これにより、携帯電話機の表示を確認することなく、発呼者及びその情報を確認することができる。
【００１２】
また、前記着信情報は前記携帯電話機の着呼の際に前記携帯電話機の有する表示手段に表示される画像情報であることが好ましい。これにより、携帯電話機の表示とまったく同じ態様で無線通信機器の表示を確認することが出来る。
【００１３】
他方、本発明に係る他の無線通信システムは、無線通信機器と、ヘッドセットと、前記無線通信機器及び前記ヘッドセットと無線通信可能な携帯電話機を備えた無線通信システムであって、前記ヘッドセットは、前記携帯電話機から着信情報を受信する手段と、前記着信情報をオペレータに対して報知する手段を有し、前記無線通信機器は、オペレータの入力に応じて前記携帯電話機に対して受話を実行させる受話要求信号を送信する手段を有し、前記携帯電話機は、着呼に応じて着信情報を前記ヘッドセットに送信する手段と、前記無線通信機器から前記受話要求信号を受信する手段と、前記受話要求信号に応じて受話を実行する手段とを有するものである。このような構成により、携帯電話機を手元に置くことなく着信を認識でき、更に受話を実行可能とする無線通信機器及び無線通信システムを提供することができる。
【００１４】
ここで、前記着信情報は前記携帯電話機が着呼に応じて再生する着信音の音声信号であることが好ましい。これにより、より確実に携帯電話機への着呼を認識することができる。
【００１５】
更に、前記携帯電話機は、当該携帯電話機が有する表示手段に表示される情報の一部又は全部を前記無線通信機器に対して送信する手段を更に有し、前記無線通信機器は、前記携帯電話機から当該情報の一部又は全部を受信する手段と、当該情報の一部又は全部を、前記無線通信機器が有する表示手段の一部又は全部に表示させる手段とを更に有してもよい。これにより、携帯電話機への着信のみならず他の機能に関しても携帯電話機を手元に置くことなく確認することが出来る。
【００１６】
更にまた、前記無線通信機器は当該無線通信機器が有する入力手段により入力された制御信号を前記携帯電話機に送信する手段を更に有し、前記携帯電話機は前記無線通信機器から当該制御信号を受信する手段と、当該制御信号に従って前記携帯電話機を制御する手段とを更に有してもよい。これにより携帯電話機を手元に置くことなく操作することができる。
【００１７】
また、前記無線通信機器は映像及び／又は音声を再生するための手段を更に有し、前記無線通信機器において映像及び／又は音声の再生中に、前記携帯電話機に着呼があった場合、前記ヘッドセットは前記無線通信機器に対して映像及び／又は音声の再生を一時中断させる再生制御信号を送信する手段を有してもよい。これにより、映像及び／又は音声の視聴中であっても携帯電話機の機能を使用することができ、携帯電話機への着信によって当該映像及び／又は音声の情報が欠如することがない。
【発明の効果】
【００１８】
本発明により、携帯電話機を手元に置くことなく使用可能とする無線通信機器及び無線通信システムを提供することができる。
【発明を実施するための最良の形態】
【００１９】
以下に、本発明を適用可能な実施の形態が説明される。以下の説明は、本発明の実施形態を説明するものであり、本発明が以下の実施形態に限定されるものではない。説明の明確化のため、以下の記載は、適宜、省略及び簡略化がなされている。又、当業者であれば、以下の実施形態の各要素を、本発明の範囲において容易に変更、追加、変換することが可能である。
【００２０】
実施の形態１．
まず図１を用いて本発明にかかる無線通信システムの全体構成を説明する。図１は本発明にかかる無線通信システムの全体構成の一例を示したものである。本発明にかかる無線通信システムは、オペレータが装着し音声の入出力を行なうヘッドセット１０１と、オペレータが携帯可能な携帯電話機１０２及び無線通信機器としてのＤＶＤプレイヤー１０３と、基地局１０４及び公衆回線網１０５を有する。ここで、基地局１０４及び公衆回線網１０５は携帯電話機１０２と他の携帯電話機又は固定電話等との通話に必要なものである。また、携帯電話機１０２、基地局１０４及び公衆回線１０５の接続関係については公知のものと同様であるため説明を省略する。また、ヘッドセット１０１、携帯電話機１０２及び携帯型ＤＶＤプレイヤー１０３はそれぞれ無線通信手段を有し、３者間において無線接続可能である。
【００２１】
次に本発明にかかる無線通信システムの概要を説明する。上記の通りヘッドセット１０１、携帯電話機１０２及びＤＶＤプレイヤー１０３の３者間において無線接続可能な状態において携帯電話機１０２に着呼があった場合、携帯電話機１０２は、ＤＶＤプレイヤー１０３及びヘッドセット１０１の双方に対して着信情報を送信する。ＤＶＤプレイヤー１０３に対して送信される着信情報には、例えば携帯電話機１０２の表示手段に表示される表示情報、即ち発呼者の電話番号やそれから導き出される発呼者の氏名等の発呼者情報が含まれる。また、ヘッドセット１０１に対して送信される着信情報には、例えば携帯電話機１０２に着呼があった場合に携帯電話機１０２が再生する着信音の音声データが含まれる。
【００２２】
ＤＶＤプレイヤー１０３は、携帯電話機１０２から着信情報を受信すると、それを着信通知として処理する。具体的には、ＤＶＤプレイヤー１０３は、自身の表示手段に、着信情報に含まれる表示情報を表示する。他方、ヘッドセット１０１は、携帯電話機１０２から着信情報を受信すると、受信した音声データをスピーカーより音声として出力する。
【００２３】
携帯電話機１０２から送信された着信情報に対して、ＤＶＤプレイヤー１０３又はヘッドセット１０１は携帯電話機１０２に受話を実行させる受話要求信号を送信することができる。この受話要求信号の送信はＤＶＤプレイヤー１０３のみが可能でもよいし、ヘッドセット１０１のみが可能でもよい。もちろんＤＶＤプレイヤー１０３とヘッドセット１０１との両方が可能でもよい。ＤＶＤプレイヤー１０３又はヘッドセット１０１が受話要求信号を携帯電話機１０２に対して送信すると、携帯電話機１０２は、当該受話要求信号を受信する。携帯電話機１０２は、当該受話要求信号に応じて受話を実行する。受話実行後は、ヘッドセット１０１と携帯電話機１０２との間で音声通信が可能となり、オペレータは携帯電話機１０２を直接用いずともヘッドセット１０１を用いることによって通話できる。
【００２４】
また、上記の着信及び受話要求の動作に限らず、ＤＶＤプレイヤー１０３は携帯電話機１０２に対して制御信号を送信することが可能である。例えば、オペレータが、ＤＶＤプレイヤー１０３の入力手段に対して所定の入力を行なうと、ＤＶＤプレイヤー１０３は、携帯電話機１０２に対して制御信号を送信する。携帯電話機１０２は、制御信号を受信し、この制御信号に応じた処理を実行する。このようにして、オペレータは、ＤＶＤプレイヤー１０３を用いて、携帯電話機１０２を操作できる。更に、ヘッドセット１０１はＤＶＤプレイヤー１０３に対して再生制御信号を送信することが可能である。例えばオペレータがヘッドセット１０１の入力手段に対して所定の入力を行なうと、ヘッドセット１０１は、ＤＶＤプレイヤー１０３に対して再生制御信号を送信する。ＤＶＤプレイヤー１０３は、再生制御信号を受信し、この再生制御信号に応じた再生処理を実行する。このようにして、オペレータは、ヘッドセット１０１を用いて、ＤＶＤプレイヤー１０３を操作することができる。例えば、ヘッドセット１０１と携帯電話機１０２とが音声通信状態にある場合に、ＤＶＤプレイヤー１０３における映像又は音声の再生を制御する必要があるときに、ヘッドセット１０１を操作することによってオペレータに快適な視聴を提供することができる。
【００２５】
図２に本発明にかかるＤＶＤプレイヤー１０３の内部構成の一例を示す。ＤＶＤプレイヤー１０３は、制御手段２０１、ＤＶＤ駆動手段２０２、キー入力手段２０３、デコード手段２０４、表示手段２０５、スピーカー２０６、ヘッドフォン出力手段２０７、無線通信手段２０８、選択手段２０９を備えている。制御手段２０１は、ＤＶＤプレイヤー１０３の全体の動作を制御する。ＤＶＤ駆動手段２０２は、ＤＶＤを駆動し、ＤＶＤ媒体からデータを読み出す。キー入力手段２０３は、オペレータがＤＶＤプレイヤー１０３を操作するインターフェースとして機能し、例えば、複数の操作ボタンを有する。デコード手段２０４は、ＤＶＤ駆動手段２０２によってＤＶＤ媒体から読み出したデータをデコードするデコーダである。表示手段２０５は、デコード手段２０４によってデコードされた映像データを表示する。スピーカ２０６は、デコード手段２０４によってデコードされた音声データを出力する。ヘッドフォン出力手段２０７は、当該ＤＶＤプレイヤー１０３に対してヘッドフォンが接続された場合に、接続されたヘッドフォンに対して音声データを出力する。無線通信手段２０８は、ヘッドセット１０１や携帯電話機１０２等の外部機器との間でデータの無線通信を可能にする。選択手段２０９は、無線通信手段２０８によって無線接続される接続相手と機能を切り換える手段である。
【００２６】
ＤＶＤプレイヤー１０３単体の動作としては、制御手段２０１による制御に基づき、以下の動作が行なわれる。まず、ＤＶＤ媒体に記録された映像データ又は音声データ等のデジタルデータをＤＶＤ駆動手段２０２により読み出す。通常、読み出されたデジタルデータは圧縮（エンコード）がなされているので、デコード手段２０４により復号（デコード）する。表示手段２０５は、デコードされたデータのうち映像データを表示出力し、スピーカー２０６は、デコードされた音声データを音声出力する。スピーカー２０６ではなくヘッドフォン出力手段２０７が音声の出力先として選択されている場合は、スピーカー２０６に替わりヘッドフォン出力手段２０７が音声データに応じて音声出力する。また、スピーカー２０６とヘッドフォン出力手段２０７との両方から音声データに応じた音声が出力されるようにしてもよい。
【００２７】
上記のＤＶＤプレイヤー単体の動作は、制御手段２０１の制御に基づき行なわれるが、オペレータはキー入力手段２０３を操作することにより制御手段２０１に命令を与え、例えばＤＶＤ媒体に記録された映像や音楽の再生、停止、早送り、巻き戻し及びＤＶＤ媒体の取り出し等を可能とする。また、無線通信手段２０８によって無線通信手段を有する外部の機器（本実施形態においては例えばヘッドセット１０１）へ音声データ及び映像データを出力することも可能である。無線通信手段２０８としては、例えばブルートゥース方式が適用可能である。
【００２８】
図３に本発明にかかるヘッドセット１０１の内部構成の一例を示す。図３に示されるように、ヘッドセット１０１は、無線通信手段３０１、制御手段３０２、デコード手段３０３、エンコード手段３０４、スピーカー３０５、マイク３０６、選択手段３０７、入力手段３０８とを有する。無線通信手段３０１は、外部機器との無線通信を可能とする手段である。制御手段３０２は、ヘッドセット１０１全体の動作を制御する。デコード手段３０３は、エンコードされた音声データをデコードするデコーダである。エンコード手段３０４は、入力された音声データをエンコードするエンコーダである。スピーカー３０５は、音声データに応じて音声を出力する。マイク３０６は、音声を検出し音声データを生成する。選択手段３０７は、無線通信手段３０１によって無線接続される接続相手と機能を切り換える手段である。入力手段３０８は、オペレータが当該ヘッドセット１０１を操作するインターフェースとして機能し、例えば操作ボタンにより構成される。
【００２９】
ヘッドセット１０１は、他の外部機器から送信された音声データを無線通信手段３０１を介して受信し、この音声データに応じた音声をスピーカー３０５から出力する。また、ヘッドセット１０１は、オペレータより発せられた音声をマイク３０６より入力・変換された音声データを無線通信手段３０１を介して他の外部機器に対して出力する。ヘッドセット１０１が他の外部機器からの音声データを出力する動作の例として、ＤＶＤプレイヤー１０３において再生されている音声データをヘッドセット１０１から出力する場合を説明する。
【００３０】
このとき、ヘッドセット１０１は、ＤＶＤプレイヤー１０３と無線接続されている。そして、ＤＶＤプレイヤー１０３は、ＤＶＤ媒体若しくはＣＤ媒体から読み出した音声データが無線通信手段２０８を介してヘッドセット１０１に対して送信されている。この場合に、ヘッドセット１０１は制御手段３０２の制御に基づき、以下の動作を実行する。
まず、無線通信手段３０１は、ＤＶＤプレイヤー１０３から送信された音声データを受信する。次に、デコード手段３０３は、無線通信手段３０１が受信した音声データをデコードする。そして、スピーカー３０５は、デコードされた音声データを音声に変換し出力する。通常、音声データはエンコードされた状態で送受信されるため、ヘッドセット１０１はデコード手段を有するが、音声データが既にデコードされた状態で送受信される場合にはデコード手段３０３は必要ない。また、ＤＶＤプレイヤー１０３の無線通信手段２０８が送信する情報が音声データのみでなく、ＤＶＤ駆動手段２０２が読み出したすべてのデータの場合もあり得る。その場合はヘッドセット１０１の制御手段３０２が音声データのみを選択し、デコード手段３０３がこの音声データをデコードする。更に、オペレータが入力手段３０８から命令を与えることによってＤＶＤプレイヤー１０３を制御できるようにしてもよい。
【００３１】
上記のようにヘッドセット１０１がＤＶＤプレイヤー１０３と無線接続されて使用される限りにおいては、ヘッドセット１０１はマイク３０６とエンコード手段３０４とを有さず、ヘッドフォンであっても構わない。ＤＶＤプレイヤー１０３が音声データの記憶手段を有する場合は、当該記憶手段にマイク３０６を用いて音声データを保存することができる。その際の動作を以下に説明するが、上記と同様に以下の動作も制御手段３０２の制御に基づいて行なわれる。まず、マイク３０６が音声を検出し音声データを生成する。次にエンコード手段３０４が生成された音声データをエンコードする。そして無線通信手段３０１がＤＶＤプレイヤー１０３に対してエンコードされた音声データを送信する。ＤＶＤプレイヤー１０３では無線通信手段２０８が音声データを受信し、記憶手段が保存する。マイク３０６及びエンコード手段３０４はＤＶＤプレイヤー１０３以外の他の機器とヘッドセット１０１が接続される場合にも同様に動作する。
【００３２】
図４に本発明にかかる携帯電話機１０２の内部構成の一例を示す。図４に示されるように、携帯電話機１０２は、移動体無線通信手段４０１、入力手段４０２、表示手段４０３、近距離無線コーデック部４０４、制御手段４０５、エンコード手段４０６、マイク４０７、無線通信手段４０８、選択手段４０９、デコード手段４１０、スピーカー４１１とを有する。移動体無線通信手段４０１は、基地局１０４との無線通信を実行する。入力手段４０２は、オペレータが携帯電話機１０２を操作するためのインターフェースとして機能する。表示手段４０３は、携帯電話機１０２の記憶手段に記憶された情報を表示する。近距離無線コーデック部４０４は、近距離無線通信の際に音声データのエンコード及びデコードを実行する。制御手段４０５は、携帯電話機１０２全体の動作を制御する。エンコード手段４０６は、携帯電話機１０２に入力される音声データをエンコードする。マイク４０７は、音声を検出し音声データの生成を行なう。無線通信手段４０８は、外部機器との無線通信を可能とする。選択手段４０９は、無線通信手段４０８によって無線接続される接続相手と機能を切り換える手段である。デコード手段４１０は、エンコードされた音声データをデコードする。スピーカー４１１は、音声データに応じて音声を出力する。
【００３３】
携帯電話機単体の動作としては、制御手段４０５の制御に基づき、以下の動作が行なわれる。まず、移動体無線通信手段４０１が基地局１０４からの着信を検出すると、制御手段４０５は着信音の再生やバイブレーション機能による振動の開始等の予め設定された着呼動作を夫々の手段を有する部位に行なわせる。入力手段４０２から制御手段４０５に対して、着信に応答する旨の命令が入力されると基地局１０４と移動体無線通信手段４０１との間で無線通信が接続され、通話状態に移行する。
【００３４】
通話中において、移動体無線通信手段４０１は、基地局１０４から信号を受信する。制御手段４０５は、受信した信号からデジタル音声データを抽出する。デコード手段４１０は、抽出されたデジタル音声データをデコードする。デコードされた音声データはＤ／Ａ変換され、スピーカー４１１に入力される。スピーカ４１１は、入力された音声データに対応した音声を出力する。他方、マイク４０７はオペレータの話す音声を検出し音声データを生成する。エンコード手段４０６は、生成された音声データをＡ／Ｄ変換し、エンコードする。制御手段４０５は、エンコードされた音声データに対して無線通信のために必要な処理を施す。移動体無線通信手段４０１は、当該処理後の音声データを基地局１０４に対して送信する。
【００３５】
通話の開始や終了、発呼及びメールの送受信等のデータ送受信及び携帯電話機１０２の種々の設定等を行なうための情報の入力は、入力手段４０２を用いて実行することができる。オペレータは入力手段４０２を介して携帯電話機１０２に命令を与える。その際、必要な情報は表示手段４０３に表示される。更に、本発明に係る携帯電話機１０２は移動体無線通信手段とは別に、比較的近距離の無線通信を行なう無線通信手段４０８を有する。無線通信手段４０８としては例えばブルートゥース方式が適用可能である。近距離無線コーデック部４０４は無線通信手段４０８が無線通信を行なう際に音声データのエンコード及びデコードを行なうが、移動体無線通信時と同様のコーデックを使用する場合、制御手段４０５がその機能を有しているため、近距離無線コーデック部４０４は必要ない。
【００３６】
次に本実施形態にかかる無線通信システムの全体的な動作について説明する。本実施形態にかかる無線通信システムの動作には、携帯電話機１０２からヘッドセット１０１への着信通知動作と、携帯電話機１０２からＤＶＤプレイヤー１０３への表示手段制御動作と、ＤＶＤプレイヤー１０３から携帯電話機１０２へのキー入力動作と、携帯電話機１０２とヘッドセット１０１のリアルタイム通話動作が含まれる。
【００３７】
まず、携帯電話機１０２からヘッドセット１０１への着信通知動作を説明する。通常時は、ヘッドセット１０１の無線通信手段３０１とＤＶＤプレイヤー１０３の無線通信手段２０８とが無線接続され、ＤＶＤプレイヤー１０３が再生している音声をヘッドセット１０１のスピーカー３０５が出力している。この時、携帯電話機１０２に着信が発生した場合を想定する。携帯電話機１０２の移動体無線通信手段４０１が基地局１０４からの発呼を検出すると、制御手段４０５は予め登録されたヘッドセット１０１が無線通信範囲内に存在するか否かを無線通信手段４０８及び選択手段４０９により検索する。選択手段４０９に認識されているヘッドセット１０１が無線通信手段４０８の検索により検出された場合、無線通信手段４０８とヘッドセット１０１の無線通信手段３０１とが互いに通信リンク動作を実行し、無線接続を行なう。
【００３８】
続いて、携帯電話機１０２は、ヘッドセット１０１に対して着信情報を送信する。この着信情報には、例えば、予め設定された着信音若しくは着信メロディ等の音声データが含まれる。ヘッドセット１０１は、着信情報を受信し、着信動作を行なう。例えば、ヘッドセット１０１は、着信情報に含まれる音声データに応じてスピーカー３０５から着信音や着信メロディを出力する。携帯電話機１０２からヘッドセット１０１に送信される着信情報に着信動作の命令信号を含ませるようにしてもよい。この場合に、ヘッドセット１０１は、当該着信動作の命令信号に応じて、予め設定された着信動作を実行する。この様な動作を行なうことにより、オペレータはヘッドセット１０１のスピーカー３０５を通して携帯電話機１０２への着信をより確実に認識することができる。
【００３９】
ここで、携帯電話機１０２とヘッドセット１０１は常に無線接続されており、携帯電話機１０２において音声を出力する場合は携帯電話機１０２のスピーカー４１１ではなく、ヘッドセット１０１から音声が出力されるようにしてもよい。その場合は携帯電話機１０２に着信が発生するとヘッドセット１０１を検索する必要がなく、直ちに上記の着信動作を行なうことができる。
また、ヘッドセット１０１の入力手段３０８は受話要求の指示を与えることができてもよい。オペレータが着信動作によって携帯電話機１０２への着信を認識し、入力手段３０８を操作し、受話要求の指示を入力したものとする。入力手段３０８は制御手段３０２に対し受話要求信号を出力する。制御手段３０２は、入力手段３０８から受話要求信号を入力し、無線通信手段３０１を介して受話要求信号を携帯電話機１０２に対して送信する。携帯電話機１０２の無線通信手段４０８が受話要求信号を受信すると、制御手段４０５はかかる受話要求信号に応じて移動体無線通信手段４０１に対して受話を指示する。移動体無線通信手段４０１は、当該受話指示に応じて、移動体無線通信手段４０１と基地局１０４との間で通話可能な状態になるよう、所定の受話処理を実行する。
【００４０】
次に携帯電話機１０２からＤＶＤプレイヤー１０３への表示手段制御動作について説明する。前提とする状態はＤＶＤプレイヤー１０３と携帯電話機１０２とが無線接続されている場合であるが、両者は常に接続されている必要はない。必要に応じて手動で接続されてもよいし、携帯電話機１０２の表示手段２０５に変化があった場合に自動で接続されるようにしてもよい。
【００４１】
ＤＶＤプレイヤー１０３の表示手段２０５は、予め携帯電話機１０２の表示手段４０３において表示される表示情報を表示するための表示領域が設定されている。携帯電話機１０２の制御手段４０５が表示手段４０３の画面表示を変化させる制御を行なった場合、当該表示情報を含む制御信号は表示手段４０３と同時に無線通信手段４０８に出力される。無線通信手段４０８は、表示情報の入力に応じて選択手段４０９の機能によりＤＶＤプレイヤー１０３が選択され、無線通信によってＤＶＤプレイヤー１０３に対して当該表示情報を送信する。ＤＶＤプレイヤー１０３の無線通信手段２０８が携帯電話機１０２の表示情報を受信すると、制御手段２０１が当該表示情報を表示手段２０５へ出力する。表示手段２０５は予め定められた表示領域へ当該表示情報を表示する。ここで、表示領域は、表示手段２０５の画面全体でもよいが、一部であってもよい。この様な動作を行なうことにより、オペレータはＤＶＤプレイヤー１０３の視聴中に携帯電話機１０２を手元に用意することなく、携帯電話機１０２に表示される情報を取得することができる。
【００４２】
上記の携帯電話機１０２からＤＶＤプレイヤー１０３への表示手段制御動作の例として、携帯電話機１０２に着信が発生した場合の動作を説明する。携帯電話機１０２の移動体無線通信手段４０１が基地局１０４からの発呼を検出すると、制御手段４０５は予め定められた着信通知画面が表示されるように表示手段４０３を制御する。同時に、制御手段４０５は選択手段４０９を制御し、予め登録されたＤＶＤプレイヤー１０３が無線通信範囲内に存在するか否かを無線通信手段４０８により検索させる。選択手段４０９に認識されているＤＶＤプレイヤー１０３が無線通信手段４０８の検索により検出された場合、無線通信手段４０８とＤＶＤプレイヤー１０３の無線通信手段２０８とが互いに通信リンク動作を実行し、無線接続を行なう。
【００４３】
続いて、携帯電話機１０２は、ＤＶＤプレイヤー１０３に対して表示情報を無線通信により送信する。ＤＶＤプレイヤー１０３は、当該表示情報を受信し、表示手段２０５の制御を行なう。この様な動作を行なうことにより、オペレータはＤＶＤプレイヤー１０３の表示手段２０５を通して携帯電話機１０２への着信をより確実に認識することができる。また、ここでもヘッドセット１０１の入力手段３０８を用いて受話動作を行なうことができることは言うまでもない。
【００４４】
ここで、携帯電話機１０２とＤＶＤプレイヤー１０３は常に無線接続されていてもよく、携帯電話機１０２において表示手段４０３の変化があった場合は携帯電話機１０２の表示手段４０３だけでなく、ＤＶＤプレイヤー１０３の表示手段２０５にも表示されるようにしてもよい。表示手段４０３の変化の表示手段２０５への表示は、表示手段２０５の一部分に常に表示されるようにしてもよいし、表示手段４０３の変化があってから一定時間だけ表示手段２０５に表示されるようにしてもよい。この様な構成を用いる場合は携帯電話機１０２に着信が発生するとＤＶＤプレイヤー１０３を検索する必要がなく、直ちに上記の着信動作を行なうことができる。
【００４５】
次にＤＶＤプレイヤー１０３から携帯電話機１０２へのキー入力動作について説明する。前提とする状態はＤＶＤプレイヤー１０３と携帯電話機１０２とが無線接続されている場合であるが、両者は常に接続されている必要は無い。必要に応じて手動で接続されてもよいし、ＤＶＤプレイヤー１０３のキー入力手段２０３に入力があった場合に自動で接続されるようにしてもよい。
【００４６】
ＤＶＤプレイヤー１０３のキー入力手段２０３又は制御手段２０１は、予め携帯電話機１０２の入力手段４０２に対応するキーを記憶している。オペレータがＤＶＤプレイヤー１０３のキー入力手段２０３に予め定められた入力手段４０２に対応するキー入力を行なった場合、制御手段２０１はそのキー入力情報を制御信号として無線通信手段２０８を通して携帯電話機１０２に送信する。携帯電話機１０２の無線通信手段４０８は、当該制御信号を受信し制御手段４０５へ入力する。制御手段４０５は受け取った制御信号を入力手段４０２から入力された制御信号とみなして各部を制御する。このような動作を行なうことにより、オペレータは携帯電話機１０２を手元に用意することなくＤＶＤプレイヤー１０３を操作することによって携帯電話機１０２の機能を使用することができる。
【００４７】
ここで、ＤＶＤプレイヤー１０３を操作することによって携帯電話機１０２を操作する例として適しているのは、例えば携帯電話機１０２への着信に対する受話動作や、携帯電話機１０２を用いた電子メール送信などであるが、携帯電話機１０２で可能な動作のすべてが可能である。これらの動作は前述の携帯電話機１０２からＤＶＤプレイヤー１０３への表示手段制御動作と同時に行なうのが好ましく、これにより常に携帯電話機１０２の動作状態を確認しながら操作を行なうことができる。
【００４８】
次に、携帯電話機１０２とヘッドセット１０１とのリアルタイム通話動作について説明する。前提とする状態はヘッドセット１０１と携帯電話機１０２とが無線接続されている場合であるが、両者は常に接続されている必要は無い。必要に応じて手動で接続されてもよいし、携帯電話機１０２の制御手段４０５が携帯電話機１０２と基地局１０４との移動体無線接続を検出し、選択手段４０９の機能によって自動で接続されてもよい。
【００４９】
携帯電話機１０２の移動体無線通信手段４０１による通話動作については上記において説明したが、携帯電話機１０２とヘッドセット１０１のリアルタイム通話動作とは、携帯電話機１０２の移動体無線通信手段４０１と基地局１０４との通話動作において、携帯電話機１０２のマイク４０７及びスピーカー４１１の代わりにヘッドセット１０１のスピーカー３０５及びマイク３０６を用いる動作である。
【００５０】
即ち、基地局１０４と携帯電話機１０２が無線接続中において、移動体無線通信手段４０１が基地局１０４から信号を受信し、当該信号から制御手段４０５がデジタル音声データを取り出す。近距離無線コーデック部４０４が取り出されたデジタル音声データをエンコードし、無線通信手段４０８がエンコードされた音声データをヘッドセット１０１へ送信する。ヘッドセット１０１の無線通信手段３０１が音声データを受信すると、当該音声データをデコード手段３０３がデコードする。さらに、スピーカー３０５は、デコードされた音声データに応じた音声を出力する。
【００５１】
他方、ヘッドセット１０１のマイク３０６が音声を検出すると、マイク３０６は検出した音声に基づいて音声データを生成する。そしてエンコード手段３０４が生成された音声データをエンコードし、無線通信手段３０１が携帯電話機１０２に対してエンコードされた音声データを送信する。携帯電話機１０２の無線通信手段４０８がヘッドセット１０１から音声データを受信すると、制御手段４０５が移動体無線通信のために必要な処理を施し、処理されたデータを移動体無線通信手段４０１が基地局１０４へ送信する。この時、近距離無線コーデック部４０４及びエンコード手段４０６が制御手段４０５の処理に用いられてもよい。以上の動作を行なうことによって携帯電話機１０２のマイク４０７及びスピーカー４１１ではなくヘッドセット１０１を用いることによる通話が可能となる。
【００５２】
本実施形態に係るＤＶＤプレイヤー１０３の動作の流れについて図５のフローチャートに示す。ＤＶＤやＣＤの再生の要求があった場合、ＤＶＤプレイヤー１０３はＤＶＤ駆動手段２０２によりＤＶＤやＣＤを読み出し、読み出したデータのうち表示情報についてはデコード手段２０４がデコードした後に表示手段２０５が表示する（Ｓ６０１）。音声データについても同様にデコード手段２０４がデコードした後、選択されている出力先に出力する（Ｓ６０２）。当該出力先は制御手段２０１が認識している。即ち通常状態ではＤＶＤプレイヤー１０３のスピーカー２０６に出力する（Ｓ６０３）。また、ヘッドセット１０１と無線接続されている場合は、無線通信手段２０８が近距離無線通信用のエンコード処理を行った後にヘッドセット１０１に出力する（Ｓ６０４）。さらに、ヘッドフォン出力手段２０７が選択されてる場合には、ヘッドフォン出力手段２０７へ出力する（Ｓ６０５）。
【００５３】
ここまでの処理によってＤＶＤプレイヤー１０３はＤＶＤ又はＣＤを再生し、オペレータはＤＶＤ又はＣＤを視聴することができる。ＤＶＤプレイヤー１０３がＤＶＤ又はＣＤを再生中に携帯電話機１０２からの着信通知動作があった場合（Ｓ６０６）、ＤＶＤプレイヤー１０３はＤＶＤ又はＣＤの再生を一時的に中断する（Ｓ６０７）。携帯電話機１０２からの着信通知動作がある場合、更に携帯電話機１０２からの表示手段制御動作がある場合がある（Ｓ６０８）。その場合は携帯電話機１０２からの制御に従い表示手段２０５の予め定められた表示領域に携帯電話機１０２の表示情報を表示する（Ｓ６０９）。
【００５４】
一方、ＤＶＤプレイヤー１０３のキー入力手段２０３のうち、携帯電話機１０２の入力手段４０２に対応するキーの入力があった場合には（Ｓ６１０）、携帯電話機１０２へのキー入力動作を行なう（Ｓ６１１）。ここで行なわれるのは例えば携帯電話機１０２からの着信に対する応答動作や着信拒否動作である。携帯電話機からの着信に対して応答した場合は携帯電話機１０２とヘッドセット１０１のリアルタイム通話動作が行なわれる。携帯電話機１０２と基地局１０４との移動体無線通信接続が終了したら（Ｓ６１２）、ＤＶＤプレイヤー１０３は一時的に中断したＤＶＤ又はＣＤの再生を再開する（Ｓ６１３）。ＤＶＤプレイヤー１０３がＤＶＤ又はＣＤを再生している状態においてキー入力手段２０３による操作及びＤＶＤ又はＣＤの終了により再生が停止するまで（Ｓ６１４）上記の動作が繰り返し行なわれる。
【００５５】
図６はＳ６０６におけるＤＶＤプレイヤー１０３の画面表示の一例であり、キー入力手段２０３のうち携帯電話機１０２の入力手段４０２に対応付けられたキーによって入力された通知情報７０１が、表示手段２０５の所定領域に表示されている状態を示している。前述の通り、本実施形態においてはオペレータがキー入力手段２０３を操作することによって制御手段４０５により携帯電話機１０２が操作され、携帯電話機１０２の制御手段４０５によって表示手段４０３が操作されることによってＤＶＤプレイヤー１０３の制御手段２０１により表示手段２０５が操作され通知情報７０１が表示される。
【００５６】
通常、オペレータが携帯電話機１０２を用いて電話をかける場合、携帯電話機１０２の入力手段４０２を操作し、操作状態が携帯電話機１０２の表示手段４０３に表示され、発呼が可能となる。本実施形態においては上記のような同時制御により、ＤＶＤプレイヤー１０３を操作することによって発呼を可能とすることができる。あるいは基地局１０４から携帯電話機１０２への着呼についても上記のような同時制御により、ＤＶＤプレイヤー１０３に着呼が通知される。これにより、携帯電話機１０２を手元に取り出すことなく、例えばかばんの中に入ったままであってもオペレータが視聴中のＤＶＤプレイヤー１０３で着呼を認識することが出来ると共に、誰からの発呼であるかを知ることができる。更には携帯電話機１０２を取り出すことなく携帯電話機１０２が受信した情報、例えば電子メール等を参照することができ、電子メールの送信を可能とすることができる。
【００５７】
以上説明したように、本発明により、携帯電話機を手元に置くことなく使用可能とする無線通信機器としてのＤＶＤプレイヤー１０３及び無線通信システムを提供することができる。
【００５８】
なお、上記の説明においては携帯電話機１０２への着信により携帯電話機１０２とヘッドセット１０１が無線接続された場合は、Ｓ６０７に示すようにＤＶＤプレイヤー１０３によるＤＶＤ又はＣＤの再生が中断される。そしてＳ６１２に示すように基地局１０４と携帯電話機１０２との移動体無線通信接続が終了するまではヘッドセット１０１と携帯電話機１０２とのリアルタイム通話動作が優先された。この場合、ヘッドセット１０１とＤＶＤプレイヤー１０３との無線接続は切断されても継続されてもよく、またＤＶＤプレイヤー１０３の処理についてもこれに限定されず他の方法も考えられる。以下にその例を示す。
【００５９】
まず第１の方法はＳ６０６において携帯電話機とヘッドセット１０１とが無線接続され、Ｓ６０７においてＤＶＤプレイヤー１０３がＤＶＤ又はＣＤの再生を一時中断した場合、ヘッドセット１０１がＤＶＤプレイヤー１０３に通信切断の命令を送信し、ＤＶＤプレイヤー１０３は無線接続を切断する。Ｓ６１２において基地局１０４と携帯電話機１０２との移動体無線通信接続が終了した後、ヘッドセット１０１がＤＶＤプレイヤー１０３に再度接続の要求を送信する。ＤＶＤプレイヤー１０３と携帯電話機１０２とが再度無線接続された後、Ｓ６１３に示すようにＤＶＤプレイヤー１０３はＤＶＤ又はＣＤの再生を中断された部分から再開する。
【００６０】
第２の方法はＳ６０６において携帯電話機とヘッドセット１０１とが無線接続した後、Ｓ６０７の処理を行なわず、ＤＶＤプレイヤー１０３によるＤＶＤ又はＣＤの再生を継続し、且つヘッドセット１０１とＤＶＤプレイヤー１０３との無線接続も継続される。しかし、ヘッドセット１０１においては携帯電話機１０２から受信した音声データの出力のみ行い、Ｓ６１２において基地局１０４と携帯電話機１０２との移動体無線通信接続が終了した後に、ＤＶＤプレイヤー１０３から受信する音声データの出力を再開する。
【００６１】
第３の方法はヘッドセット１０１のスピーカー３０５がステレオの両耳タイプである場合にのみ適用可能である。Ｓ６０６において携帯電話機とヘッドセット１０１とが無線接続した後、Ｓ６０７の処理を行なわず、ＤＶＤプレイヤー１０３によるＤＶＤ又はＣＤの再生を継続し、且つヘッドセット１０１とＤＶＤプレイヤー１０３との無線接続も継続する。そして携帯電話機１０２の音声はモノラルであり、ＤＶＤプレイヤー１０３の音声がステレオであれば、ヘッドセット１０１のスピーカー３０５の片耳ずつ出力を行なう。Ｓ６１２において基地局１０４と携帯電話機１０２との移動体無線通信接続が終了した後に、スピーカー３０５の出力をＤＶＤプレイヤー１０３からの音声出力に戻す。
【００６２】
第４の方法はＳ６０６において携帯電話機とヘッドセット１０１とが無線接続され、Ｓ６０７においてＤＶＤプレイヤー１０３がＤＶＤ又はＣＤの再生を一時中断した後もヘッドセット１０１とＤＶＤプレイヤー１０３との無線接続を継続する。Ｓ６１２において基地局１０４と携帯電話機１０２との移動体無線通信接続が終了した後、Ｓ６１３に示すようにＤＶＤプレイヤー１０３はＤＶＤ又はＣＤの再生を中断された部分から再開する。
【００６３】
以上、これらの方法は本発明にかかる無線通信システム及び無線通信機器が適用される用途又は目的によって適宜選択されることが好ましい。
【００６４】
その他の実施の形態．
前実施形態においては無線通信機器としてＤＶＤプレイヤー１０３を用いたが、ハードディスクや半導体メモリ及び半導体メモリカードを記憶手段とする音楽や映像の携帯型のプレイヤーであってもよい。更に、車載のカーナビゲーションでもかまわない。この場合にもＤＶＤプレイヤー１０３のときの同じような効果が得られる。普段はカーナビゲーションとヘッドセット１０１が無線接続され、カーナビゲーションの音声案内と音声コマンド入力などが行なわれている。この状態において携帯電話機１０２に着信が発生した場合、携帯電話機１０２の表示手段４０３に表示される情報がカーナビゲーションの表示手段に出力され、携帯電話機の操作がカーナビゲーションやハンドルに取り付けられたカーナビゲーション用のボタンを操作することにより可能となる。
【００６５】
あるいは無線通信機器としてカメラ機能を備えた携帯型の映像機器を用いてもよい。その場合、携帯電話機１０２でカメラ機能を使用するのと同様の操作で、当該映像機器を使用することができ、携帯電話機１０２に搭載されてサイズの制限を受けたカメラユニットよりも性能的に優位な映像機器のカメラユニットを使用することが可能となる。
【図面の簡単な説明】
【００６６】
【図１】本発明の実施の形態に係る無線通信システムの全体構成例を表す図である。
【図２】本発明の実施の形態に係る無線通信機器の内部構成例を表す図である。
【図３】本発明の実施の形態に係るヘッドセットの内部構成例を表す図である。
【図４】本発明の実施の形態に係る携帯電話機の内部構成例を表す図である。
【図５】本発明の実施の形態に係る無線通信機器の動作の流れを表すフローチャートである。
【図６】本発明の無線通信システムに係る携帯電話機と無線通信機器との画面表示例を表す図である。
【図７】従来技術にかかる無線通信システムの全体構成例を表す図である。
【符号の説明】
【００６７】
１０１  ヘッドセット、１０２  携帯電話機、１０３  ＤＶＤプレイヤー、
１０４  基地局、１０５  公衆回線網、２０１  制御手段、２０２  駆動手段、
２０３  キー入力手段、２０４  デコード手段、２０５  表示手段、
２０６  スピーカー、２０７  ヘッドフォン出力手段、２０８  無線通信手段、
２０９  選択手段、３０１  無線通信手段、３０２  制御手段、
３０３  デコード手段、３０４  エンコード手段、３０５  スピーカー、
３０６  マイク、３０７  選択手段、３０８  入力手段、
４０１  移動体無線通信手段、４０２  入力手段、４０３  表示手段、
４０４  近距離無線コーデック部、４０５  制御手段、
４０６  エンコード手段、４０７  マイク、４０８  無線通信手段、
４０９  選択手段、４１０  デコード手段、４１１  スピーカー、
７０１  通知情報
【図１】
2006086805.tif 000003
【図２】
2006086805.tif 000004
【図３】
2006086805.tif 000005
【図４】
2006086805.tif 000006
【図５】
2006086805.tif 000007
【図６】
2006086805.tif 000008
【図７】
2006086805.tif 000009